(57)【要約】【課題】使用者に対して、長期間通話していない人を効率よく思い出させることが可能な画像表示装置を提供することを主たる課題とする。【解決手段】本発明に係る画像表示装置は、電話装置を通じて通話した通話相手装置に関する通話相手装置情報と、通話の履歴情報である通話履歴情報と、を対応付けた通話相手装置履歴情報を取得する通話情報取得手段と、前記通話情報取得手段によって取得された通話相手装置履歴情報を参照し、過去所定期間以前に通話した通話相手装置の前記通話相手装置情報を選択する通話相手装置情報選択手段と、前記通話相手装置情報選択手段により選択された通話相手装置情報に関する画像情報を取得する画像情報取得手段と、前記画像情報取得手段により取得された画像情報に係る画像を表示させる表示制御手段と、を有する。【選択図】図１
2010278926.tif 000002
【特許請求の範囲】
【請求項１】
画像を表示する画像表示装置において、
電話装置を通じて通話した通話相手装置に関する通話相手装置情報と、通話の履歴情報である通話履歴情報と、を対応付けた通話相手装置履歴情報を取得する通話情報取得手段と、
前記通話情報取得手段によって取得された通話相手装置履歴情報を参照し、過去所定期間以前に通話した通話相手装置の前記通話相手装置情報を選択する通話相手装置情報選択手段と、
前記通話相手装置情報選択手段により選択された通話相手装置情報に関する画像情報を取得する画像情報取得手段と、
前記画像情報取得手段により取得された画像情報に係る画像を表示させる表示制御手段と、
を有することを特徴とする画像表示装置。
【請求項２】
請求項１に記載の画像表示装置において、
前記電話装置を通じて通話した場合に、前記通話した通話相手装置に関する通話相手装置情報に対応付けられた通話履歴情報を更新する通話履歴情報更新手段を更に有することを特徴とする画像表示装置。
【請求項３】
請求項１又は請求項２に記載の画像表示装置において、
前記通話相手装置情報選択手段は、前記通話情報取得手段により取得された通話相手装置履歴情報を現在の日時情報と比較して現在の日時から時間的に遠い順に配列し、前記配列された通話相手装置履歴情報に含まれる通話相手装置情報を現在の日時から時間的に遠い順に所定数選択することを特徴とする画像表示装置。
【請求項４】
請求項１乃至請求項３のいずれか一項に記載の画像表示装置において、
前記通話情報取得手段により取得された通話相手装置履歴情報と、現在の日時情報と、を比較することにより得られた通話の疎遠状態を示す疎遠通話情報に基づいて、前記画像情報取得手段が前記通話相手装置情報選択手段により選択された通話相手装置情報に関する画像情報を取得する際の画像情報取得数を決定する画像取得数決定手段を更に有し、
前記画像情報取得手段は、前記画像情報取得数決定手段により決定された画像情報取得数に基づいて、前記通話相手装置情報選択手段により選択された通話相手装置情報に関する画像情報を所定数取得することを特徴とする画像表示装置。
【請求項５】
請求項１乃至請求項４のいずれか一項に記載の画像表示装置において、
前記通話情報取得手段により取得された通話相手装置履歴情報と、現在の日時情報と、を比較することにより得られた通話の疎遠状態を示す疎遠通話情報に基づいて、前記表示制御手段が前記画像情報取得手段により取得された画像情報に係る画像を表示させる際の表示頻度を決定する表示頻度決定手段を更に有し、
前記表示制御手段は、前記表示頻度決定手段により決定された表示頻度に基づいて、前記画像情報取得手段により取得された画像情報に係る画像を表示させることを特徴とする画像表示装置。
【請求項６】
請求項１乃至請求項５のいずれか一項に記載の画像表示装置において、
人の存在を感知する人検知手段を更に有し、
前記人検知手段により人の存在が検知された場合に、前記表示制御手段は、前記画像情報取得手段により取得された画像情報に係る画像を表示させることを特徴とする画像表示装置。
【請求項７】
画像を表示する画像表示方法において、
電話装置を通じて通話した通話相手装置に関する通話相手装置情報と、通話の履歴情報である通話履歴情報と、を対応付けた通話相手装置履歴情報を取得する通話情報取得工程と、
前記取得された通話相手装置履歴情報を参照し、過去所定期間以前に通話した通話相手装置の前記通話相手装置情報を選択する通話相手装置情報選択工程と、
前記選択された通話相手装置情報に関する画像情報を取得する画像情報取得工程と、
前記取得された画像情報に係る画像を表示させる表示制御工程と、
を有することを特徴とする画像表示方法。
【請求項８】
コンピュータを、
請求項１乃至請求項６のいずれか一項に記載の画像表示装置として機能させることを特徴とする画像表示プログラム。
【発明の詳細な説明】
【技術分野】
【０００１】
本発明は、通話履歴を自動で確認することができる画像表示装置、画像表示方法、及び画像表示用プログラムの技術分野に関する。
【背景技術】
【０００２】
従来から、通話機能の他に、電話帳、通話履歴、画像情報等を記憶しておく記憶機能を備えた画像表示装置が使用されていたが、最近では新たな機能として、画像表示装置に蓄積された過去の画像情報等を画像表示装置の使用者による特別な操作なしに所定のタイミングで自動で表示させることにより、使用者に対して過去に蓄積した画像情報等の見直しを行う機会を提供し、過去に蓄積された画像情報等を有効に利用するといった機能が備えられている。
【先行技術文献】
【特許文献】
【０００３】
【特許文献１】特開２００７−３００５１１号公報
【発明の概要】
【発明が解決しようとする課題】
【０００４】
しかしながら、特許文献１に記載の画像表示装置では、蓄積された過去のコンテンツを使用者による特別な操作なしに表示することにより、使用者に過去のコンテンツの見直しを行う機会や想い出を想起する機会等を提供することはできるが、通話履歴の中で長期間通話していない人を確認する場合には、使用者が手動で確認する必要があるため不便であり、簡便に長期間通話していない人を思い出すことができなかった。
【０００５】
本発明はこのような状況に鑑みてなされたものであり、使用者に対して、長期間通話していない人を効率よく思い出させることができ、長期間通話していない人との次回の会話の際の話題を提供することができる画像表示装置を提供することを主たる課題とする。
【課題を解決するための手段】
【０００６】
上記課題を解決するための請求項１に記載の発明は、画像を表示する画像表示装置において、電話装置を通じて通話した通話相手装置に関する通話相手装置情報と、通話の履歴情報である通話履歴情報と、を対応付けた通話相手装置履歴情報を取得する通話情報取得手段と、前記通話情報取得手段によって取得された通話相手装置履歴情報を参照し、過去所定期間以前に通話した通話相手装置の前記通話相手装置情報を選択する通話相手装置情報選択手段と、前記通話相手装置情報選択手段により選択された通話相手装置情報に関する画像情報を取得する画像情報取得手段と、前記画像情報取得手段により取得された画像情報に係る画像を表示させる表示制御手段と、を有することを特徴とする。
【０００７】
上記課題を解決するための請求項２に記載の発明は、請求項１に記載の画像表示装置において、前記電話装置を通じて通話した場合に、前記通話した通話相手装置に関する通話相手装置情報に対応付けられた通話履歴情報を更新する通話履歴情報更新手段を更に有することを特徴とする。
【０００８】
上記課題を解決するための請求項３に記載の発明は、請求項１又は請求項２に記載の画像表示装置において、前記通話相手装置情報選択手段は、前記通話情報取得手段により取得された通話相手装置履歴情報を現在の日時情報と比較して現在の日時から時間的に遠い順に配列し、前記配列された通話相手装置履歴情報に含まれる通話相手装置情報を現在の日時から時間的に遠い順に所定数選択することを特徴とする。
【０００９】
上記課題を解決するための請求項４に記載の発明は、請求項１乃至請求項３のいずれか一項に記載の画像表示装置において、前記通話情報取得手段により取得された通話相手装置履歴情報と、現在の日時情報と、を比較することにより得られた通話の疎遠状態を示す疎遠通話情報に基づいて、前記画像情報取得手段が前記通話相手装置情報選択手段により選択された通話相手装置情報に関する画像情報を取得する際の画像情報取得数を決定する画像取得数決定手段を更に有し、前記画像情報取得手段は、前記画像情報取得数決定手段により決定された画像情報取得数に基づいて、前記通話相手装置情報選択手段により選択された通話相手装置情報に関する画像情報を所定数取得することを特徴とする。
【００１０】
上記課題を解決するための請求項５に記載の発明は、請求項１乃至請求項４のいずれか一項に記載の画像表示装置において、前記通話情報取得手段により取得された通話相手装置履歴情報と、現在の日時情報と、を比較することにより得られた通話の疎遠状態を示す疎遠通話情報に基づいて、前記表示制御手段が前記画像情報取得手段により取得された画像情報に係る画像を表示させる際の表示頻度を決定する表示頻度決定手段を更に有し、前記表示制御手段は、前記表示頻度決定手段により決定された表示頻度に基づいて、前記画像情報取得手段により取得された画像情報に係る画像を表示させることを特徴とする。
【００１１】
上記課題を解決するための請求項６に記載の発明は、請求項１乃至請求項５のいずれか一項に記載の画像表示装置において、人の存在を感知する人検知手段を更に有し、前記人検知手段により人の存在が検知された場合に、前記表示制御手段は、前記画像情報取得手段により取得された画像情報に係る画像を表示させることを特徴とする。
【００１２】
上記課題を解決するための請求項７に記載の発明は、画像を表示する画像表示方法において、電話装置を通じて通話した通話相手装置に関する通話相手装置情報と、通話の履歴情報である通話履歴情報と、を対応付けた通話相手装置履歴情報を取得する通話情報取得工程と、前記取得された通話相手装置履歴情報を参照し、過去所定期間以前に通話した通話相手装置の前記通話相手装置情報を選択する通話相手装置情報選択工程と、前記選択された通話相手装置情報に関する画像情報を取得する画像情報取得工程と、前記取得された画像情報に係る画像を表示させる表示制御工程と、を有することを特徴とする。
【００１３】
上記課題を解決するための請求項８に記載の発明は、コンピュータを、請求項１乃至請求項５のいずれか一項に記載の画像表示装置として機能させることを特徴とする。
【発明の効果】
【００１４】
請求項１、７、８に記載の発明によれば、画像表示装置の使用者に対して、長期間通話していない人に関する画像を使用者が手動で確認することなく自動で表示することができるため、長期間通話していない人を効率よく思い出させることができる。
【００１５】
請求項２に記載の発明によれば、電話装置を通じて通話した際に通話履歴情報が更新されるため、現在に対して長期間通話していない人が誰なのかを確実に把握することができる。よって、長期間通話していない人に対する画像を確認し、長期間通話していない人を効率よく思い出させることができる。
【００１６】
請求項３に記載の発明によれば、通話相手装置情報を現在の日時情報から遠い順に所定数選択することにより、画像表示装置の使用者に対して、長期間通話していない人から順に画像を表示させることができるため、長期間通話していない人を簡便に効率よく思い出させることができる。
【００１７】
請求項４に記載の発明によれば、画像表示装置の使用者に対して、長期間通話していない人に関する画像を表示する枚数を、通話していない期間に応じて決定するため、長期間通話していない人を簡便に効率よく思い出させることができる。
【００１８】
請求項５に記載の発明によれば、画像表示装置の使用者に対して、長期間通話していない人に関する画像を表示する頻度を、通話していない期間に応じて決定するため、長期間通話していない人を簡便に効率よく思い出させることができる。
【００１９】
請求項６に記載の発明によれば、人の存在が検知された場合に、長期間通話していない人に関する画像を表示するため、節電を図りつつ、より効果的に長期間通話していない人を効率よく思い出させることができる。
【図面の簡単な説明】
【００２０】
【図１】第一実施形態に係る画像表示装置１の概要構成の一例を示すブロック図である。
【図２】電話帳データベースの内容の一例を示す図である。
【図３】最終通話履歴データベースの内容の一例を示す図である。
【図４】疎遠通話履歴データベースの内容の一例を示す図である。
【図５】画像取得枚数データベースの内容の一例を示す図である。
【図６】画像表示頻度データベースの内容の一例を示す図である。
【図７】第一実施形態に係る画像表示装置１の制御部１１における画像表示処理の一例を示すフローチャートである。
【図８】図７に示すステップＳ１６における最終通話履歴データベース更新処理の詳細を示すフローチャートである。
【図９】図７に示すステップＳ１７における画像情報取得処理の詳細を示すフローチャートである。
【図１０】図９に示すステップＳ３５における画像情報検索処理の詳細を示すフローチャートである。
【図１１】画像表示タイムスケジュールテーブルの一例を示す図である。
【図１２】第二実施形態に係る画像表示装置１の概要構成の一例を示すブロック図である。
【図１３】（Ａ）は、発信履歴データベースの内容の一例を示す図であり、（Ｂ）は、着信履歴データベースの内容の一例を示す図である。
【図１４】第二実施形態に係る画像表示装置１の制御部１１における画像表示処理の一例を示すフローチャートである。
【図１５】図１４に示すステップＳ６６における最終通話履歴データベース更新処理の詳細を示すフローチャートである。
【発明を実施するための形態】
【００２１】
以下、本発明の実施形態を図面に基づいて説明する。
（第一実施形態）
先ず、図１を参照して、第一実施形態に係る画像表示装置１の構成及び機能について説明する。
【００２２】
図１は、第一実施形態に係る画像表示装置１の概要構成の一例を示すブロック図である。
【００２３】
図１に示すように、画像表示装置１は、ＣＰＵ、ＲＡＭ、ＲＯＭ等を備えた制御部１１、ディスプレイ１２、通信部１３、及び記憶部１４を備えて構成されている。このような画像表示装置１として、例えば、パーソナルコンピュータ、デジタルフォトフレーム装置、各種携帯型機器等を適用可能である。また、画像表示装置１は、通信部１３及び通信ケーブルを介して電話装置２に接続されている。電話装置２は、例えば、画像表示装置１が設置される建物内に設置されており、電話回線等を通じて、電話装置２の使用者の通話相手の電話装置（以下、「通話相手装置」という）との間で通話（電話通信）を行う。なお、電話装置２及び通話相手装置として、例えば、据置型電話機、携帯電話機、ＩＰ電話機能を有するパソコン等を適用可能である。また、本実施形態においては、画像表示装置１と電話装置２とは、別体型、つまり、筐体を独立させた構成としているが、画像表示装置１と電話装置２が一体型とするように構成してもよい。
【００２４】
また、画像表示装置１は、通信部１３及びインターネットを介してサーバ３に接続可能になっている。
【００２５】
制御部１１におけるＣＰＵは、ＯＳ実行下、本発明の画像表示プログラム等にしたがって各種処理を実行する。特に、ＣＰＵは、本発明における通話情報取得手段、通話相手装置情報選択手段、画像情報取得手段、表示制御手段、通話履歴情報更新手段、画像取得数決定手段、及び表示頻度決定手段等として機能する。また、制御部１１は、時計機能を有する。
【００２６】
記憶部１４は、例えば不揮発性半導体メモリ（例えば、フラッシュＲＯＭ）やハードディスクドライブ等からなり、ＯＳ（オペレーティングシステム）、本発明の画像表示プログラム、及びアプリケーションプログラム等を記憶している。アプリケーションプログラムには、例えば、所定の時間間隔で画像を切り替えながら表示するスライドショーの表示処理を規定するスライドショープログラムや、複数の画像を同一画面上に表示するマルチ表示処理を規定するマルチ表示プログラム等がある。
【００２７】
また、記憶部１４には、使用者が電話装置２を用いて長期間通話していない通話相手（通話相手装置）に関する画像情報を効率よく取得するために用いられる画像情報データベース、電話帳データベース、最終通話履歴データベース、疎遠通話履歴データデース、画像取得枚数データベース、及び画像表示頻度データベースが構築されている。以下、各データベースの内容について説明するとともに、制御部１１における各手段の処理概要について説明する。
【００２８】
＜画像情報データベース＞
画像情報データベースには、図示しないが、複数の画像情報が記憶（登録）されている。画像情報は、例えば、写真画像（例えば、顔や容姿等を表す画像等）やその他の画像（例えば、風景画像やイラスト画像等）を構成するデータであり、画像ファイル（例えば、ＴＩＦＦ、ＧＩＦ、又はＪＰＥＧ等の形式の画像ファイル）に格納されて記憶されている。また、画像情報データベースに記憶されている画像情報の中には、通話相手装置に関する通話相手装置情報が関連付けられている画像情報も存在する。この通話相手装置情報の例としては、後述するＩＤ情報や電話番号情報等が挙げられる。
【００２９】
制御部１１（画像情報取得手段）は、このような画像情報データベースから、ディスプレイ１２に表示すべき画像情報を検索し、取得することになる。なお、画像情報データベースは、サーバ３内に構築されるようにし、制御部１１がサーバ３から通信部１３等を介して画像情報を取得するように構成してもよい。
【００３０】
＜電話帳データベース＞
図２は、電話帳データベースの内容の一例を示す図である。図２に示すように、電話帳データベースには、ＩＤ情報と、名前情報と、電話番号情報と、対応付けられて、通話相手毎に区別されて記憶（登録）されている。ここで、ＩＤ情報は、各通話相手装置を識別するための情報である。名前情報は、各通話相手装置に対応する通話相手の名前を示す情報である。電話番号情報は、各通話相手装置の電話番号を示す情報である。ＩＤ情報や電話番号情報は、制御部１１がディスプレイ１２に表示すべき画像情報を画像情報データベースから検索する際に用いることができる（詳細は後述）。
【００３１】
さらに、電話帳データベースには、図２に示すように、画像情報が登録された通話相手も存在する。この画像情報は、例えば通話相手の顔画像のデータである。この顔画像は、制御部１１がディスプレイ１２に表示すべき画像情報を画像情報データベースから検索する際に用いることができる（詳細は後述）。
【００３２】
ＩＤ情報、名前情報、電話番号情報、及び画像情報は、画像表示装置１の使用者が、図示しない操作部を操作することにより任意に登録可能になっている。
【００３３】
なお、電話帳データベースは、例えば電話装置２内に設けられており、制御部１１が通信部１３を介して参照及び更新するように構成してもよい。
【００３４】
＜最終通話履歴データベース＞
図３は、最終通話履歴データベースの内容の一例を示す図である。図３（Ａ）に示す最終通話履歴データベースには、ＩＤ情報と、電話番号情報と、最終通話日時情報と、が対応付けられて、電話装置２を通じて通話した通話相手装置毎に区別されて記憶されている。ここで、最終通話日時情報は、各通話相手装置との通話の最終年月日時（以下、「最終通話日時」という）を示す日時情報であり、各通話相手装置との通話の履歴情報（通話履歴情報）の一例である。
【００３５】
この最終通話日時情報は、電話装置２から通話相手装置への発信があった場合、又は、通話相手装置から電話装置２へ着信があった場合に、例えば、制御部１１（通話履歴情報更新手段）により、図３（Ｂ）に示すように更新される。例えば、当該発信、又は、着信が、最終通話履歴データベースに記憶されている電話番号情報への発信、又は、最終通話履歴データベースに記憶されている電話番号情報からの着信である場合には、当該電話番号情報に対応付けられている最終通話日時情報が更新される。
【００３６】
一方、上記発信、又は、着信が、最終通話履歴データベースに電話番号情報が記憶されていない電話番号情報への発信、又は、最終通話履歴データベースに記憶されていない電話番号情報からの着信であった場合には、例えば、制御部１１により、図３（Ｃ）に示すように、ＩＤ情報と、電話番号情報と、最終通話日時情報と、の組が最終通話履歴データベースに追加記憶される。なお、最終通話履歴データベースは、例えば電話装置２内に設けられており、制御部１１が通信部１３を介して参照及び更新するように構成してもよい。
【００３７】
＜疎遠通話履歴データベース＞
図４は、疎遠通話履歴データベースの内容の一例を示す図である。疎遠通話履歴データベースには、通話の疎遠状態を示す疎遠通話情報が記憶されている。この疎遠通話情報は、上記最終通話履歴データベースに記憶された最終通話日時情報と、現在の日時情報と、が比較されることにより得られる。例えば、制御部１１により、最終通話履歴データベースに記憶された最終通話日時情報により示される最終通話日時が現在の日時から時間的に遠い（古い）順に、最終通話日時情報等が配列されて作成される。図４に示す疎遠通話履歴データベースは、図３（Ｂ）に示されている最終通話履歴データベースに記憶されたＩＤ情報、電話番号情報、及び最終通話日時情報の組が、現在の日時から時間的に遠い（古い）順に配列し直されて作成されている。
【００３８】
例えば、制御部１１（通話情報取得手段）は、このような疎遠通話履歴データベースから、電話装置２を通じて通話した通話相手装置に関する電話番号情報と最終通話日時情報とを対応付けた通話相手装置履歴情報（配列された通話相手装置履歴情報）を例えば複数取得する。次いで、制御部１１（通話相手装置情報選択手段）は、取得した通話相手装置履歴情報を参照して過去所定期間以前に通話した通話相手装置の電話番号情報を選択する。例えば、配列された通話相手装置履歴情報に含まれる電話番号情報が現在の日時から時間的に遠い順に所定数選択される。次いで、制御部１１（画像情報取得手段）は、選択した電話番号情報に関する画像情報を、画像情報データベースから検索し取得する（詳細は後述）。次いで、制御部１１（表示制御手段）は、取得した画像情報をディスプレイ１２に出力することにより、当該画像情報に係る画像をディスプレイ１２に表示させることになる。なお、複数の画像情報（画像）が取得された場合、これらの画像はスライドショーで切り換えられながら表示されるか、或いは、同一画面上にマルチ表示されることになる。    
【００３９】
＜画像取得枚数データベース＞
図５は、画像取得枚数データベースの内容の一例を示す図である。この画像取得枚数データベースは、制御部１１により取得される画像情報（通話相手装置情報選択手段により選択された電話番号情報に関する画像情報）に係る画像（フレーム）の取得枚数（画像情報取得数の一例）の決定に用いられる（詳細は後述）。
【００４０】
図５に示すように、画像取得枚数データベースには、最終通話日時の古さ情報と、画像取得枚数情報と、が対応付けられて記憶されている。図５（Ａ）の例では、最終通話日時の古さが１番目である場合、画像取得枚数は２５枚に設定され、最終通話日時の古さが２番目である場合、画像取得枚数は２０枚に設定されている。また、図５（Ｂ）の例は、期限で区切って画像取得枚数を設定した例であり、例えば、最終通話日時の古さが５年以上である場合、画像取得枚数は２５枚に設定され、最終通話日時の古さが３〜５年未満である場合、画像取得枚数は２０枚に設定されている。このような設定は、画像表示装置１の使用者が、図示しない操作部を操作することにより可能になっている。
【００４１】
このように最終通話日時が古いほど、より多くの画像が取得、表示されることになる。
【００４２】
＜画像表示頻度データベース＞
図６は、画像表示頻度データベースの内容の一例を示す図である。この画像表示頻度データベースは、制御部１１により取得された画像情報に係る画像を表示させる際の表示頻度の決定に用いられる（詳細は後述）。
【００４３】
図６に示すように、画像表示頻度データベースには、最終通話日時の古さ情報と、画像表示頻度情報と、が対応付けられて記憶されている。図６（Ａ）の例では、最終通話日時の古さが１番目である場合、表示頻度は１時間に１回に設定され、最終通話日時の古さが２番目である場合、表示頻度は２時間に１回に設定されている。また、図６（Ｂ）の例は、期限で区切って表示頻度を設定した例であり、例えば、最終通話日時の古さが５年以上である場合、表示頻度は１時間に１回に設定され、最終通話日時の古さが３〜５年未満である場合、表示頻度は２時間に１回に設定されている。このような設定は、画像表示装置１の使用者が、図示しない操作部を操作することにより可能になっている。
【００４４】
このように最終通話日時が古いほど、画像が頻繁に表示されることになる。
【００４５】
次に、図７乃至図１０等を参照して、第一実施形態に係る画像表示装置１の動作について説明する。
【００４６】
図７は、第一実施形態に係る画像表示装置１の制御部１１における画像表示処理の一例を示すフローチャートである。また、図８は、図７に示すステップＳ１６における最終通話履歴データベース更新処理の詳細を示すフローチャートである。また、図９は、図７に示すステップＳ１７における画像情報取得処理の詳細を示すフローチャートである。また、図１０は、図９に示すステップＳ３５における画像情報検索処理の詳細を示すフローチャートである。
【００４７】
＜画像表示処理＞
先ず、図７を用いて画像表示処理について説明する。なお、図７に示す画像表示処理は、例えば、画像表示装置１の電源オン指令により開始され、待機状態に移行する（ステップＳ１１）。なお、この待機状態は、タイマのカウントアップや、何らかの信号発生等があると解除され、ステップＳ１２に進む。また、待機状態において画像表示装置１の電源オフ指令があった場合には、図７に示す処理が終了する。
【００４８】
ステップＳ１２では、制御部１１は、時計機能により得られる現在時刻が、予め設定された画像表示時刻であるか否かを判定する。かかる判定は、例えば、予め作成されＲＡＭに記憶された画像表示タイムスケジュールテーブルに従って行われる。
【００４９】
図１１は、画像表示タイムスケジュールテーブルの一例を示す図である。図１１に示す画像表示タイムスケジュールテーブルは、図４に示す疎遠通話履歴データベースと、図６（Ａ）に示す画像表示頻度データベースに基づいて作成されている。例えば、図４に示すように、ＩＤ情報 “６”に対応付けられた最終通話日時が１番目に古いので、図１１に示す画像表示タイムスケジュールテーブルには、ＩＤ情報 “６”が１時間毎に設定されている。また、図４に示すように、ＩＤ情報 “４”の最終通話日時が２番目に古いので、図１１に示す画像表示タイムスケジュールテーブルには、ＩＤ情報 “４”が２時間毎に設定されている。
【００５０】
そして、制御部１１は、現在時刻が画像表示時刻である（例えば、午前０時（００：００））と判定した場合には（ステップＳ１２：ＹＥＳ）、当該画像表示時刻に対応付けられているＩＤ情報を画像表示タイムスケジュールテーブルから取得し、ステップＳ１３に進み、現在時刻が画像表示時刻でないと判定した場合には（ステップＳ１２：ＮＯ）、ステップＳ１５に進む。
【００５１】
ステップＳ１３では、制御部１１は、表示すべき画像情報があるか否かを判定する。例えば、上記ステップＳ１２で取得したＩＤ情報に対応付けられた画像情報が、ＲＡＭに設けられた表示画像記憶領域に記憶されているか否かが判定される。なお、この表示画像記憶領域は、後述する画像取得処理（ステップＳ１７）で取得された画像情報がＩＤ情報と共に記憶される領域である。
【００５２】
そして、制御部１１は、表示すべき画像情報があると判定した場合には（ステップＳ１３：ＹＥＳ）、当該表示すべき画像情報を表示画像記憶領域から読み込んでディスプレイ１２へ出力することにより、当該画像情報に係る画像をディスプレイ１２に表示させる（ステップＳ１４）。このとき、表示すべき画像情報が複数ある場合には、制御部１１は、スライドショープログラム、又はマルチ表示プログラムを起動して、これらの画像情報に係る画像を切り換えながらスライドショーで表示、又は同一画面上に表示させることになる。
【００５３】
一方、制御部１１は、表示すべき画像情報がないと判定した場合には（ステップＳ１３：ＮＯ）、ステップＳ１１に戻る。
【００５４】
次に、ステップＳ１５では、制御部１１は、電話装置２から通話相手装置への発信があった場合、又は、通話相手装置から電話装置２へ着信があったか否かを判定する。そして、制御部１１は、発信又は着信があったと判定した場合（つまり、電話装置２から発信又は着信を示す信号を受信した場合）には（ステップＳ１５：ＹＥＳ）、ステップＳ１６に進み、最終通話履歴データベース更新処理を行う。一方、制御部１１は、発信又は着信がないと判定した場合には（ステップＳ１５：ＮＯ）、ステップＳ１９に進み、その他の処理を行う。その他の処理では、例えば、画像表示装置１の使用者による操作指示にしたがい、各種設定処理や、データベースへの情報登録処理が行われる。
【００５５】
＜最終通話履歴データベース更新処理＞
次に、図８を用いて最終通話履歴データベース更新処理について説明する。
【００５６】
図８に示す処理では、制御部１１は、先ず、上記発信又は着信により電話装置２と通話する通話相手装置の電話番号情報を、電話装置２から取得する（ステップＳ２１）。
【００５７】
次いで、制御部１１は、上記取得した通話相手装置の電話番号情報が最終通話履歴データベース（図３（Ａ）参照）に記憶されているか否かを判定する（ステップＳ２２）。そして、制御部１１は、通話相手装置の電話番号情報が最終通話履歴データベースに記憶されていると判定した場合には（ステップＳ２２：ＹＥＳ）、ステップＳ２３に進み、記憶されていないと判定した場合には（ステップＳ２２：ＮＯ）、ステップＳ２４に進む。
【００５８】
ステップＳ２３では、制御部１１は、最終通話履歴データベースに記憶されている電話番号情報に対応付けられた最終通話日時情報を更新し（図３（Ｂ）参照）、図７に示す処理に戻りステップＳ１７の画像情報取得処理に移行する。
【００５９】
一方、ステップＳ２４では、制御部１１は、上記通話相手装置の電話番号情報と、その時の通話年月日時を示す最終通話日時情報と、ＩＤ情報とを最終通話履歴データベースに追加記憶し（図３（Ｃ）参照）、図７に示す処理に戻りステップＳ１７の画像情報取得処理に移行する。ここで、ＩＤ情報は、上記電話番号情報に対応付けられて電話帳データベースに記憶されていればこれが利用される。また、ＩＤ情報が電話帳データベースに記憶されていなければ新たに生成される。
【００６０】
＜画像情報取得処理＞
次に、図９を用いて画像情報取得処理について説明する。
【００６１】
図９に示す処理では、制御部１１は、先ず、最終通話履歴データベースから、ＩＤ情報、電話番号情報、及び最終通話日時情報を対応付けた組（通話相手装置履歴情報）を複数取得し、最終通話日時情報が示す最終通話日時を現在の日時情報と比較して、取得した通話相手装置履歴情報を現在の日時から時間的に遠い（古い）順に配列して、疎遠通話履歴データベース（図４参照）を作成する（ステップＳ３１）。これにより、通話の疎遠状態を示す疎遠通話情報が得られる。
【００６２】
次いで、制御部１１は、予め設定されたＮ（Ｎは自然数であり、所定数の一例）人分の画像情報を取得したか否かを判定する（ステップＳ３２）。そして、制御部１１は、Ｎ人分の画像情報を取得していないと判定した場合には（ステップＳ３２：ＮＯ）、ステップＳ３３に進み、Ｎ人分の画像情報を取得したと判定した場合には（ステップＳ３２：ＹＥＳ）、図７に示す処理に戻りステップＳ１８に移行する。
【００６３】
ステップＳ３３では、制御部１１は、上記作成した疎遠通話履歴データベースの先頭（つまり、最終通話日時が最も古い通話相手装置履歴情報）から最後（つまり、最終通話日時が最も新しい通話相手装置履歴情報）まで参照（先頭から最後まで一つずつ順に参照）したか否かを判定する。そして、制御部１１は、疎遠通話履歴データベースの先頭から最後まで参照していないと判定した場合には（ステップＳ３３：ＮＯ）、ステップＳ３４に進み、疎遠通話履歴データベースの先頭から最後まで参照したと判定した場合には（ステップＳ３３：ＹＥＳ）、図７に示す処理に戻りステップＳ１８に移行する。
【００６４】
ステップＳ３４では、制御部１１は、上記疎遠通話履歴データベースを参照し、上記配列された通話相手装置履歴情報に含まれる電話番号情報を一つ選択する。ここで、選択される電話番号情報は、未だ疎遠通話履歴データベースから選択されていない電話番号情報であり、且つ、その時点で最も古い通話相手装置履歴情報に含まれる電話番号情報である。
【００６５】
次いで、制御部１１は、画像情報検索処理を実行し、上記選択した電話番号情報に関する画像情報を画像情報データベースから取得（画像情報が登録されて無い場合は取得されない）して、当該取得した画像情報と、上記電話番号情報に対応するＩＤ情報とを、上述した表示画像記憶領域に記憶する（ステップＳ３５）。
【００６６】
こうして、ステップＳ３２〜Ｓ３５の処理が繰り返されることにより、最終通話履歴が古い通話相手装置（過去所定期間以前に通話した通話相手装置）の電話番号情報が優先されて所定数選択（つまり、現在の日時から時間的に古い順に所定数選択）され、当該電話番号情報に関する画像情報が検索処理により発見されれば、これが取得されることになる。
【００６７】
＜画像情報検索処理＞
次に、図１０を用いて画像情報検索処理について説明する。
【００６８】
図１０に示す処理では、制御部１１は、先ず、上記ステップＳ３１で作成した疎遠通話履歴データベースと、予め作成された画像取得枚数データベース（図５参照）とを参照して、上記選択した電話番号情報に関する画像情報の取得枚数Ｘを決定する（ステップＳ４１）。つまり、疎遠通話履歴データベースに示される疎遠通話情報に基づいて、上記選択された電話番号情報に関する画像情報を取得する際の取得枚数Ｘが決定される。例えば、選択された電話番号情報が、図４に示す“090 9876 5432”（ＩＤ情報 は“６”）であった場合、この通話相手装置の最終通話日時は１番目に古いので、図５（Ａ）に示す画像取得枚数データベースが参照されると、上記選択された電話番号情報に関する画像情報の取得枚数Ｘは２５枚として決定される。つまり、何番目に古いかによって、画像情報の取得枚数Ｘが決定される。
【００６９】
次いで、制御部１１は、電話帳データベース（図２参照）に、上記選択した電話番号情報に対応付けられて画像情報が登録されているか否かを判定する（ステップＳ４２）。そして、制御部１１は、電話帳データベースに上記画像情報が登録されていると判定した場合には（ステップＳ４２：ＹＥＳ）、当該画像情報を電話帳データベースから取得してステップＳ４３に進み、電話帳データベースに上記画像情報が登録されていないと判定した場合には（ステップＳ４２：ＮＯ）、ステップＳ５０に進む。
【００７０】
ステップＳ４３では、制御部１１は、電話帳データベースから取得した画像情報に係る画像中に顔画像（以下、「顔画像Ａ」という）が含まれているか否かを判定する。そして、制御部１１は、画像情報に係る画像中に顔画像Ａが含まれている（抽出できる）と判定した場合には（ステップＳ４３：ＹＥＳ）、当該顔画像Ａを抽出してステップＳ４４に進み、画像情報に係る画像中に顔画像Ａが含まれていないと判定した場合には（ステップＳ４３：ＮＯ）、ステップＳ５０に進む。
【００７１】
ステップＳ４４では、制御部１１は、画像情報データベースに登録された全ての画像情報を、後述するステップＳ４６（このステップＳ４６の処理は、画像情報データベースから、画像情報を一つ特定する処理である）で特定したか（つまり、画像情報データベースを全て検索したか）否かを判定する。そして、制御部１１は、画像情報データベースに登録された全ての画像情報を特定していないと判定した場合には（ステップＳ４４：ＮＯ）、ステップＳ４５に進み、画像情報データベースに登録された全ての画像情報を特定したと判定した場合には（ステップＳ４４：ＹＥＳ）、図９に示す処理に戻る。
【００７２】
ステップＳ４５では、制御部１１は、画像情報を、上記決定した取得枚数Ｘ分取得したか否かを判定する。そして、制御部１１は、画像情報を取得枚数Ｘ分取得していないと判定した場合には（ステップＳ４５：ＮＯ）、ステップＳ４６に進み、画像情報を取得枚数Ｘ分取得したと判定した場合には（ステップＳ４５：ＹＥＳ）、図９に示す処理に戻る。
【００７３】
ステップＳ４６では、制御部１１は、画像情報データベースに登録されている画像情報であって、未だ特定していない画像情報を一つ特定する。
【００７４】
次いで、制御部１１は、ステップＳ４６で特定した画像情報に係る画像中に顔画像（以下、「顔画像Ｂ」という）が含まれているか否かを判定する（ステップＳ４７）。そして、制御部１１は、画像情報に係る画像中に顔画像Ｂが含まれていないと判定した場合には（ステップＳ４７：ＮＯ）、ステップＳ４４に戻り、画像情報に係る画像中に顔画像Ｂが含まれている（抽出できる）と判定した場合には（ステップＳ４７：ＹＥＳ）、当該顔画像Ｂを抽出してステップＳ４８に進む。
【００７５】
ステップＳ４８では、制御部１１は、上記抽出した顔画像Ａと顔画像Ｂとが一致するか否かを判定する。そして、制御部１１は、顔画像Ａと顔画像Ｂとが一致しないと判定した場合には（ステップＳ４８：ＮＯ）、ステップＳ４４に戻り、顔画像Ａと顔画像Ｂとが一致すると判定した場合には（ステップＳ４８：ＹＥＳ）、ステップＳ４９に進む。
【００７６】
ここで、顔画像Ａと顔画像Ｂとが一致するか否かの判定については、例えば、両顔画像を照合して、類似性の有無を判定し、当該類似性が有る場合には、顔画像Ａと顔画像Ｂが一致すると判定する。この類似性有無の判定手法は、公知であるので詳しい説明を省略するが、例えば、上記顔画像Ａから顔の特徴をよく表す顔特徴点（例えば、目、鼻、口等）が抽出され、これらの特徴点を結ぶ顔グラフが作成される。そして、作成された顔グラフと、顔画像Ｂに基づき上記と同じように作成された顔グラフとの一致度の割合が算出され、その割合が所定値以上である場合に、類似性有と判定される。なお、顔画像Ａと顔画像Ｂの向きが異なると、類似性が失われてしまうだけでなく、顔特徴点の検出もうまく行えなくなるという問題が生じるため、最初に顔の向きを推定（例えば、右目、左目、及び口の３点を頂点とする三角形の形状から顔の向きを推定）し、その向きに応じて顔グラフを変換することで当該問題を解消することができる。
【００７７】
そして、ステップＳ４９では、制御部１１は、ステップＳ４６で特定した画像情報（顔画像Ａと一致する顔画像Ｂが含まれる画像情報）を取得し、当該取得した画像情報と、上記選択した電話番号情報に対応するＩＤ情報とを、ＲＡＭに設けられた表示画像記憶領域に記憶する。その後、ステップＳ４４に戻り、画像情報が取得枚数Ｘ分取得されるか、或いは画像情報データベースに登録された全ての画像情報が特定されるまで、上記と同様の処理が繰り返される。このような処理により、上記選択した電話番号情報に対応するＩＤ情報に対応付けられて取得枚数Ｘ分の画像情報が表示すべき画像情報として取得（つまり、上記決定された取得枚数に基づいて、上記選択された電話番号情報に関する画像情報が所定数取得される）、記憶されることになる。このような構成によれば、画像情報データベースに画像情報を登録しておけば、自動的に疎遠状態にある通話相手の画像情報を、表示すべき画像情報として効率良く検索することができる。
【００７８】
一方、ステップＳ５０では、つまり、画像情報に係る画像中に顔画像Ａが含まれていない場合、制御部１１は、画像情報データベースに登録された全ての画像情報を、後述するステップＳ５２（このステップＳ５２の処理は、画像情報データベースから、画像情報を一つ特定する処理である）で特定したか（つまり、画像情報データベース内を全て参照（検索）したか）否かを判定する。そして、制御部１１は、画像情報データベースに登録された全ての画像情報を特定していないと判定した場合には（ステップＳ５０：ＮＯ）、ステップＳ５１に進み、画像情報データベースに登録された全ての画像情報を特定したと判定した場合には（ステップＳ５０：ＹＥＳ）、図９に示す処理に戻る。
【００７９】
ステップＳ５１では、制御部１１は、画像情報を、上記決定した取得枚数Ｘ分取得したか否かを判定する。そして、制御部１１は、画像情報を取得枚数Ｘ分取得していないと判定した場合には（ステップＳ５１：ＮＯ）、ステップＳ５２に進み、画像情報を取得枚数Ｘ分取得したと判定した場合には（ステップＳ５１：ＹＥＳ）、図９に示す処理に戻る。
【００８０】
ステップＳ５２では、制御部１１は、画像情報データベースに登録されている画像情報であって、未だ特定していない画像情報を一つ特定する。
【００８１】
次いで、制御部１１は、ステップＳ５２で特定した画像情報に、上記選択した電話番号情報が関連付けられているか否かを判定する（ステップＳ５３）。そして、制御部１１は、画像情報に電話番号情報が関連付けられていないと判定した場合には（ステップＳ５３：ＮＯ）、ステップＳ５０に戻り、画像情報に電話番号情報が関連付けられていると判定した場合には（ステップＳ５３：ＹＥＳ）、当該画像情報を取得し（ステップＳ５４）、当該取得した画像情報と、上記選択した電話番号情報に対応するＩＤ情報とを、ＲＡＭに設けられた表示画像記憶領域に記憶する。その後、ステップＳ５０に戻り、画像情報が取得枚数Ｘ分取得されるか、或いは画像情報データベースに登録された全ての画像情報が特定されるまで、上記と同様の処理が繰り返される。このような構成によれば、画像情報データベースに、電話番号情報を関連付けた画像情報を登録しておけば、自動的に疎遠状態にある通話相手の画像情報を、表示すべき画像情報として効率良く検索することができる。
【００８２】
図７の処理に戻り、ステップＳ１８では、制御部１１は、上記ステップＳ３１で作成した疎遠通話履歴データベースと、予め作成された画像表示頻度データベース（図６参照）とを参照して、上記取得された画像情報に係る画像を表示させる際の表示頻度を決定して、画像表示タイムスケジュールテーブルを更新する。つまり、疎遠通話履歴データベースに示される疎遠通話情報に基づいて、上記取得された画像情報に係る画像を表示させる際の表示頻度が決定されることにより、決定された表示頻度に基づいて、上記取得された画像情報に係る画像が表示されることになる。例えば、図４に示すように、ＩＤ情報 “６”に対応付けられた最終通話日時が１番目に古いので、図６（Ａ）に示す画像表示頻度データベースが参照されると、上記ＩＤ情報 “６”に対応付けられた画像情報の表示頻度は「１時間毎」として決定され、画像表示タイムスケジュールテーブルには、図１１に示すように、ＩＤ情報 “６”が１時間毎に設定（更新）される。なお、かかる画像表示タイムスケジュールテーブルの更新では、新たに取得された画像情報に対応付けられたＩＤ情報が画像表示タイムスケジュールテーブルに追加されたり、通話を行った通話相手装置の電話番号情報に対応付けられたＩＤ情報が画像表示タイムスケジュールテーブルから削除される。
【００８３】
以上説明したように、第一実施形態によれば、予め作成された画像表示タイムスケジュールテーブルにしたがって、画像表示装置１の使用者に対して、長期間通話していない人に関する画像を使用者が手動で確認することなく自動で表示することができるため、長期間通話していない人を効率よく思い出させることができる。また、長期間通話していない人との次回の会話の際の話題を提供することができる。
【００８４】
また、電話装置２を通じて通話した際に最終通話日時情報が更新されるため、現在に対して長期間通話していない人が誰なのかを確実に把握することができる。よって、長期間通話していない人に対する画像を確認し、長期間通話していない人を効率よく思い出させることができる。
【００８５】
また、通話相手装置履歴情報を現在の日時情報から遠い順に所定数選択することにより、画像表示装置１の使用者に対して、長期間通話していない人から順に画像を表示させることができるため、長期間通話していない人を簡便に効率よく思い出させることができる。
【００８６】
また、画像表示装置１の使用者に対して、長期間通話していない人に関する画像を表示する枚数を、通話していない期間に応じて決定するため、長期間通話していない人を簡便に効率よく思い出させることができる。  
【００８７】
また、画像表示装置１の使用者に対して、長期間通話していない人に関する画像を表示する頻度を、通話していない期間に応じて決定するため、長期間通話していない人を簡便に効率よく思い出させることができる。
（第二実施形態）
次に、図１２を参照して、第二実施形態に係る画像表示装置１について説明する。
【００８８】
図１２は、第二実施形態に係る画像表示装置１の概要構成の一例を示すブロック図である。なお、第二実施形態に係る画像表示装置１の構成及び機能は、基本的には第一実施形態と同様であるが、第二実施形態に係る画像表示装置１では、第一実施形態に係る画像表示装置１の構成に加えて、図１２に示すように、人の存在を検知する人感センサ１５（人検知手段の一例）が備えられている。この人感センサ１５により、例えば、画像表示装置１が設置された室内等に入ってきた人を検知することができる。
【００８９】
また、第二実施形態に係る画像表示装置１の記憶部１３には、第一実施形態で説明したデータベースに加えて、発信履歴データベース及び着信履歴データベースがさらに構築されている。
【００９０】
図１３（Ａ）は、発信履歴データベースの内容の一例を示す図であり、図１３（Ｂ）は、着信履歴データベースの内容の一例を示す図である。図１３（Ａ）に示すように、発信履歴データベースには、ＩＤ情報等に対応付けられて発信日時情報が記憶されている。一方、図１３（Ｂ）に示すように、着信履歴データベースには、ＩＤ情報等に対応付けられて着信日時情報が記憶されている。
【００９１】
ここで、図１４及び図１５等を参照して、第二実施形態に係る画像表示装置１の動作について説明する。
【００９２】
図１４は、第二実施形態に係る画像表示装置１の制御部１１における画像表示処理の一例を示すフローチャートである。また、図１５は、図１４に示すステップＳ６６における最終通話履歴データベース更新処理の詳細を示すフローチャートである。
【００９３】
＜画像表示処理＞
先ず、図１４を用いて画像表示処理について説明する。図１４に示す画像表示処理は、図７に示す画像表示処理と同様、画像表示装置１の電源オン指令により開始され、待機状態に移行する（ステップＳ６１）。なお、この待機状態は、タイマのカウントアップや、何らかの信号発生等があると解除され、ステップＳ６２に進む。
【００９４】
ステップＳ６２では、制御部１１は、人感センサ１５により人の存在が検知されたか否かを判定する。そして、制御部１１は、人の存在が検知されたと判定した場合には（ステップＳ６２：ＹＥＳ）、ステップＳ６３に進み、人の存在が検知されないと判定した場合には（ステップＳ６２：ＮＯ）、ステップＳ６５に進む。
【００９５】
なお、ステップＳ６３、ステップＳ６４、ステップＳ６５、ステップＳ６７、及びステップＳ６８の処理は、それぞれ、図７に示すステップＳ１３、ステップＳ１４、ステップＳ１５、ステップＳ１７、及びステップＳ１９の処理と同様であるので、重複する説明を省略する。
【００９６】
＜最終通話履歴データベース更新処理＞
次に、図１５を用いて最終通話履歴データベース更新処理について説明する。最終通話履歴データベース更新処理は、図８に示す最終通話履歴データベース更新処理の他の実施形態である。また、図８に示す最終通話履歴データベース更新処理は、図１４に示すステップＳ６５にて発信又は着信があったと判定した場合（つまり、電話装置２から発信又は着信を示す信号を受信した場合）に（ステップＳ６５：ＹＥＳ）実行される。
【００９７】
図１５に示す最終通話履歴データベース更新処理では、制御部１１は、先ず、電話帳データベースに登録された全ての電話番号情報を特定したか（つまり、電話帳データベース内を全て参照（検索）したか）否かを判定する（ステップＳ７１）。そして、制御部１１は、電話帳データベースに登録された全ての電話番号情報を特定していないと判定した場合には（ステップＳ７１：ＮＯ）、ステップＳ７２に進み、電話帳データベースに登録された全ての電話番号情報を特定したと判定した場合には（ステップＳ７１：ＹＥＳ）、図１４に示す処理に戻る。
【００９８】
ステップＳ７２では、制御部１１は、電話帳データベースに登録されている電話番号情報であって、未だ特定していない電話番号情報を一つ特定する。
【００９９】
次いで、制御部１１は、発信履歴データベース（図１３（Ａ）参照）から、上記ステップＳ７２で特定した電話番号情報に対応付けられた発信日時情報のうち、最終（日時が最も新しい（現在に近い））の発信日時情報Ｔ１を抽出する（ステップＳ７３）。なお、発信履歴データベースに、電話番号情報に対応付けられて発信日時情報が登録されていない場合には、発信日時情報Ｔ１の抽出は行われない。
【０１００】
次いで、制御部１１は、着信履歴データベース（図１３（Ｂ）参照）から、上記ステップＳ７２で特定した電話番号情報に対応付けられた着信日時情報のうち、最終の着信日時情報Ｔ２を抽出する（ステップＳ７４）。なお、着信履歴データベースに、電話番号情報に対応付けられて着信日時情報が登録されていない場合には、着信日時情報Ｔ２の抽出は行われない。
【０１０１】
次いで、制御部１１は、上記抽出した発信日時情報Ｔ１と着信日時情報Ｔ２とを比較し、日時が新しい方を最終通話日時情報として選択し、当該選択した最終通話日時情報、上記ステップＳ７２で特定した電話番号情報、及び当該電話番号情報に対応付けられているＩＤ情報を最終通話履歴データベースに追加記憶し（ステップＳ７５）、ステップＳ７１に戻る。なお、発信日時情報Ｔ１と着信日時情報Ｔ２の双方が抽出されなかった場合、最終通話日時情報等の最終通話履歴データベースへの追加記憶は行われない。また、発信日時情報Ｔ１と着信日時情報Ｔ２の何れか一方のみが抽出された場合、抽出された方が最終通話日時情報として選択される。
【０１０２】
このような最終通話履歴データベース更新処理により、電話帳データベースに登録されている各電話番号情報に対する最終通話日時情報の更新を行うことができる。
【０１０３】
以上説明したように、第二実施形態によれば、人感センサ１５により人の存在が検知された場合に、画像表示装置１の使用者に対して、長期間通話していない人に関する画像を使用者が手動で確認することなく自動で表示することができるため、長期間通話していない人を効率よく思い出させることができる。また、長期間通話していない人との次回の会話の際の話題を提供することができる。さらに、人の存在が検知された場合に、長期間通話していない人に関する画像を表示するため、節電を図りつつ、より効果的に長期間通話していない人を効率よく思い出させることができる。
【符号の説明】
【０１０４】
１・・・画像表示装置
２・・・電話装置
３・・・サーバ
１１・・・制御部
１２・・・ディスプレイ
１３・・・通信部
１４・・・記憶部
１５・・・人感センサ
【図１】
2010278926.tif 000003
【図２】
2010278926.tif 000004
【図３】
2010278926.tif 000005
【図４】
2010278926.tif 000006
【図５】
2010278926.tif 000007
【図６】
2010278926.tif 000008
【図７】
2010278926.tif 000009
【図８】
2010278926.tif 000010
【図９】
2010278926.tif 000011
【図１０】
2010278926.tif 000012
【図１１】
2010278926.tif 000013
【図１２】
2010278926.tif 000014
【図１３】
2010278926.tif 000015
【図１４】
2010278926.tif 000016
【図１５】
2010278926.tif 000017